(57)【要約】【課題】  異物に基づく動作不良を確実に回避するとともに、全体の構造簡略化及び部品点数の削減により小型化及び低コスト化を図る。【解決手段】  基体部２から筒状に突出し、かつ先端を弁座部３に形成した流出口部４と、この弁座部３の径方向Ｆｄ外側における基体部２に形成した流入口部５と、弁座部３に対向する端面に弁体部６を設けたプランジャ部７と、一端開口部を基体部２に固定し、プランジャ部７を軸方向Ｆｓへ変位自在にガイドする筒状のプランジャガイド部８と、プランジャ部７を軸方向Ｆｓへ進退変位させる電磁機能部９とを備える給水用電磁弁に対して、所定のリング幅Ｌｒを有するフレキシブルリングシート１１を、プランジャ部７とプランジャガイド部８間における隙間Ｇを閉塞可能な所定位置Ｘｓに配するとともに、外縁部１１ｏを固定し、かつ自由端となる内縁部１１ｉを流入口部５内に位置させる。【選択図】  図１
2019100355.tif 000002
【特許請求の範囲】
【請求項１】
基体部から筒状に突出し、かつ先端を弁座部に形成した水の流出口部（又は流入口部）と、この弁座部の径方向外側における前記基体部に形成した流入口部（又は流出口部）と、前記弁座部に対向する端面に弁体部を設けたプランジャ部と、一端開口部を前記基体部に固定し、前記プランジャ部を軸方向へ変位自在にガイドする筒状のプランジャガイド部と、前記プランジャ部を軸方向へ進退変位させて給水モード又は止水モードに切換える電磁機能部とを具備してなる給水用電磁弁において、所定のリング幅を有するフレキシブルリングシートを、前記プランジャ部と前記プランジャガイド部間における隙間を閉塞可能な所定位置に配するとともに、外縁部を固定し、かつ自由端となる内縁部を前記流入口部（又は流出口部）内に位置させてなることを特徴とする給水用電磁弁。
【請求項２】
前記フレキシブルリングシートは、ゴム素材又は合成樹脂素材を用いた軟質素材により形成することを特徴とする請求項１記載の給水用電磁弁。
【請求項３】
前記フレキシブルリングシートは、圧力が作用しない自然状態において平坦形状に形成することを特徴とする請求項１又は２記載の給水用電磁弁。
【請求項４】
前記フレキシブルリングシートは、前記外縁部を、前記基体部と前記プランジャガイド部間に挟んで固定することを特徴とする請求項１，２又は３記載の給水用電磁弁。
【請求項５】
前記プランジャ部は、前記フレキシブルリングシートが当接する端面を粗面に形成することを特徴とする請求項１記載の給水用電磁弁。
【請求項６】
前記電磁機能部は、前記弁体部を含む前記プランジャ部を閉方向へ付勢するリターンスプリングを備えることを特徴とする請求項１記載の給水用電磁弁。
【発明の詳細な説明】
【技術分野】
【０００１】
本発明は、水道管等の中途に接続して給水モード又は止水モードに切換える際に用いて好適な給水用電磁弁に関する。
【背景技術】
【０００２】
一般に、水道管の中途に接続して給水モード又は止水モードに切換える給水用電磁弁は広く普及しているが、この種の電磁弁は、水道水中に混入する異物が電磁弁内に詰まることによる動作不良が問題となる。このため、通常は、電磁弁の上流側水路にフィルターを配設して異物を除去しているが、フィルターを配設した場合には、フィルターの定期的なメンテナンスが必要になるとともに、フィルターのメッシュの大きさや水質等により目詰まりが生じやすく、流量の安定性にも少なからず影響する。したがって、このような背景に基づき、異物に対する電磁弁の強化、即ち、異物による動作不良の防止対策を施した電磁弁も提案されている。
【０００３】
従来、このような動作不良の防止対策を施した電磁弁としては、特許文献１に開示される電磁弁及び特許文献２に開示される給水電磁弁が知られている。同文献１に開示される電磁弁は、異物詰まりによる止水不良の回避を目的としたものであり、具体的には、給水源から給水される給水圧室と、給水圧室から連結される主弁流路と、給水圧室と主弁流路を隔てるシート部と、シート部を開閉するダイヤフラムと、ダイヤフラム背部に設けられる背圧室と、背圧室と給水圧室とを連通するブリード穴と、背圧室より水を排出するパイロット穴と、パイロット穴を開閉するプランジャーと、プランジャーを上下させるコイルを上下させるコイルを有する電磁弁において、ダイヤフラムをシート部へ押し付ける方向に付勢する付勢手段を設け、かつパイロット穴下流部位にダイヤフラムを介さずに主弁流路下流若しくは別流路へ導くパイロット流路を設けたものである。
【０００４】
また、同文献２に開示される給水電磁弁は、異物による止水不良の低減を目的としたものであり、具体的には、入水口と出水口との間にそれぞれ設けた弁室と背圧室と、弁室と背圧室を分かつように配設され、背圧室と出水口を連通可能にするパイロットオリフィスと弁室と背圧室とを連通するサイドオリフィスとを有する硬質樹脂板及び弾性部材から構成されるダイヤフラム弁と、コイルへの通電によって駆動される弁体とを有するパイロット式の給水電磁弁において、硬質樹脂板のサイドオリフィスの背圧室側端部は、中央の孔と通じるスリット溝構造を有する凸形状部とすることで、背圧室内に入った微小な異物がサイドオリフィスを塞ぐことが困難になるようにしたものである。
【先行技術文献】
【特許文献】
【０００５】
【特許文献１】特開２００２−２８６１５５号公報
【特許文献２】特開２０１７−０５７８６０号公報
【発明の概要】
【発明が解決しようとする課題】
【０００６】
しかし、上述した従来の給水用電磁弁は、次のような問題点があった。
【０００７】
即ち、例示した従来の給水用電磁弁は、いずれもパイロットキックタイプにより構成し、弁体部が位置する弁室内の水圧は、本管の水圧よりも低く抑えられている。したがって、その分、異物が詰まるリスクは軽減されるが、通常、径が１〔ｍｍ〕以下のブリーダ孔を含むパイロット流路が付設されるため、ブリーダ孔に異物が詰まりやすくなり、例示のような異物対策が必要となる。
【０００８】
なお、弁室内と本管の水路を完全に遮断するダイヤフラムを付設して水路の開閉を行うフリッパータイプの電磁弁も知られている。この電磁弁は、弁室内に水道水を進入させることなく水路を開閉するため、確実性の高い異物対策を実現できるが、反面、プランジャによりダイヤフラムを直接変位させるとともに、本管の水圧に抗して開閉する必要があるため、エネルギ消費が大きくなり、しかも、電磁弁の大型化を招きやすい。
【０００９】
このように、異物による動作不良の防止対策を施した従来の電磁弁は、構造の複雑化に基づく電磁弁の大型化及びコストアップを招くとともに、エネルギ消費が大きくなるなど、いわば、防止対策に伴うマイナス要素が無視できない難点があった。
【００１０】
本発明は、このような背景技術に存在する課題を解決した給水用電磁弁の提供を目的とするものである。
【課題を解決するための手段】
【００１１】
本発明は、上述した課題を解決するため、基体部２から筒状に突出し、かつ先端を弁座部３に形成した水の流出口部４（又は流入口部５）と、この弁座部３の径方向Ｆｄ外側における基体部２に形成した流入口部５（又は流出口部４）と、弁座部３に対向する端面に弁体部６を設けたプランジャ部７と、一端開口部を基体部２に固定し、プランジャ部７を軸方向Ｆｓへ変位自在にガイドする筒状のプランジャガイド部８と、プランジャ部７を軸方向Ｆｓへ進退変位させて給水モードＭｏ又は止水モードＭｓに切換える電磁機能部９とを具備してなる給水用電磁弁１を構成するに際して、所定のリング幅Ｌｒを有するフレキシブルリングシート１１を、プランジャ部７とプランジャガイド部８間における隙間Ｇを閉塞可能な所定位置Ｘｓに配するとともに、外縁部１１ｏを固定し、かつ自由端となる内縁部１１ｉを流入口部５（又は流出口部４）内に位置させてなることを特徴とする。
【００１２】
この場合、発明の好適な態様により、フレキシブルリングシート１１は、ゴム素材又は合成樹脂素材を用いた軟質素材Ｒｇにより形成することができるとともに、圧力が作用しない自然状態において平坦形状に形成することができる。また、フレキシブルリングシート１１は、外縁部１１ｏを、基体部２とプランジャガイド部８間に挟んで固定することができる。さらに、プランジャ部７は、フレキシブルリングシート１１が当接する端面を粗面７ｖに形成することができる。一方、電磁機能部９には、弁体部６を含むプランジャ部７を閉方向Ｆｃへ付勢するリターンスプリング１２を設けることができる。
【発明の効果】
【００１３】
このような構成を有する本発明に係る給水用電磁弁１によれば、次のような顕著な効果を奏する。
【００１４】
（１）  所定のリング幅Ｌｒを有するフレキシブルリングシート１１を、プランジャ部７とプランジャガイド部８間における隙間Ｇを閉塞可能な所定位置Ｘｓに配するとともに、外縁部１１ｏを固定し、かつ自由端となる内縁部１１ｉを流入口部５内に位置させたため、流入口部５から水が進入した際は、この水圧によりフレキシブルリングシート１１が押圧され、プランジャ部７とプランジャガイド部８間における隙間Ｇは、このフレキシブルリングシート１１の変形により閉塞される。これにより、当該隙間Ｇへの異物の進入が阻止されるため、異物による給水用電磁弁１の動作不良を確実に回避することができる。
【００１５】
（２）  基体部２から筒状に突出し、かつ先端を弁座部３に形成した水の流出口部４と、この弁座部３の径方向Ｆｄ外側における基体部２に形成した流入口部５と、弁座部３に対向する端面に弁体部６を設けたプランジャ部７と、一端開口部を基体部２に固定し、プランジャ部７を軸方向Ｆｓへ変位自在にガイドする筒状のプランジャガイド部８と、プランジャ部７を軸方向Ｆｓへ進退変位させて給水モードＭｏ又は止水モードＭｓに切換える電磁機能部９とを備える電磁弁に適用、即ち、パイロットキックタイプやフリッパータイプなどの電磁弁を採用することなく、一般的な電磁弁に対して、一枚のフレキシブルリングシート１１を追加するのみで有効な異物対策を実現できるため、電磁弁１全体の構造簡略化及び部品点数の削減を図ることができるとともに、電磁弁１の小型化及び低コスト化を実現することができる。
【００１６】
（３）  好適な態様により、フレキシブルリングシート１１を、ゴム素材又は合成樹脂素材を用いた軟質素材Ｒｇにより形成すれば、一般的な汎用素材を利用できるため、実施の容易化及び低コスト化に寄与できる。
【００１７】
（４）  好適な態様により、フレキシブルリングシート１１を形成するに際し、圧力が作用しない自然状態において平坦形状に形成すれば、一枚の平坦なシート部材のカッティングにより製作できるなど、更なる実施の容易化及び低コスト化に寄与できる。
【００１８】
（５）  好適な態様により、フレキシブルリングシート１１を固定するに際し、外縁部１１ｏを、基体部２とプランジャガイド部８間に挟んで固定すれば、別途の固定具等の追加部品が不要になるため、組付けの容易化に寄与できるとともに、フレキシブルリングシート１１のフレキシブル性によるシーリング機能も利用可能となり、密閉性の向上或いは本来的に使用するシーリング部材の簡略化に寄与できる。
【００１９】
（６）  好適な態様により、プランジャ部７における、フレキシブルリングシート１１が当接する端面を、粗面７ｖに形成すれば、プランジャ部７とフレキシブルリングシート１１の密着を回避できるため、プランジャ部７とプランジャガイド部８間における隙間Ｇへの水の流入が遅れるなどの不具合を防止し、フレキシブルリングシート１１の本来の機能を円滑に発揮させることができる。
【００２０】
（７）  好適な態様により、電磁機能部９を構成するに際し、弁体部６を含むプランジャ部７を閉方向Ｆｃへ付勢するリターンスプリング１２を設けて構成すれば、簡易なＯＮ／ＯＦＦ制御により開閉機能を実現できるため、通電回路等を含む電磁機能部９全体の簡略化に寄与できる。
【図面の簡単な説明】
【００２１】
【図１】本発明の好適実施形態に係る給水用電磁弁の一部抽出拡大図を含む断面側面図、
【図２】同給水用電磁弁に用いるフレキシブルリングシートの平面図、
【図３】同給水用電磁弁に用いるフレキシブルリングシートの一部抽出拡大図を含む一部破断正面図、
【図４】同給水用電磁弁の止水モード時の状態を示す作用説明図、
【図５】同給水用電磁弁の給水モード移行時の状態を示す作用説明図、
【図６】同給水用電磁弁の給水モード時の状態を示す作用説明図、
【図７】同給水用電磁弁の止水モード移行時の状態を示す作用説明図、
【図８】同給水用電磁弁のプランジャ部の変更例を示す一部抽出拡大図を含む断面側面図、
【発明を実施するための形態】
【００２２】
次に、本発明に係る好適実施形態を挙げ、図面に基づき詳細に説明する。
【００２３】
まず、本実施形態に係る給水用電磁弁１の構成について、図１〜図３を参照して具体的に説明する。
【００２４】
図１中、符号２は硬質の樹脂素材又は金属素材により一体形成した基体部であり、中間に位置するブロック状の電磁弁基部２１と、この電磁弁基部２１の一端面から突出した流入側接続口部２２と、電磁弁基部２１の他端面から突出した流出側接続口部２３とを備える。なお、符号２２ｓ及び２３ｓは、流入側接続口部２２の外周面及び流出側接続口部２３の外周面にそれぞれ装着したＯリングを示す。
【００２５】
電磁弁基部２１の上面には、電磁弁設置面２１ｕを形成し、この電磁弁設置面２１ｕに、段差を介してガイド取付部２５を形成するとともに、ガイド取付部２５の中央部位には、凹形の弁室２４を形成する。このガイド取付部２５には、後述のプランジャガイド部８を取付けることができる。さらに、弁室２４の中央位置には、基体部２から筒状に突出し、かつ先端を弁座部３に形成した流出口部４を一体形成するとともに、この流出口部４は、内部流出路２６を介して前述した流出側接続口部２３に連通形成する。また、弁座部３の径方向Ｆｄ外側における弁室２４は凹リング形の流入口部５となり、この流入口部５は、内部流入路２７を介して前述した流入側接続口部２２に連通形成する。
【００２６】
一方、本発明に従って、フレキシブルリングシート１１を用意する。このフレキシブルリングシート１１を図２及び図３に示す。このフレキシブルリングシート１１は、軟質素材Ｒｇとなるゴム素材により一体形成する。具体的には、所定の厚さを有する一枚のゴムシートをカッティングし、所定のリング幅Ｌｒを有するリング形状に形成する。これにより、フレキシブルリングシート１１は、圧力が作用しない自然状態において平坦形状となる。このように、フレキシブルリングシート１１を形成するに際し、圧力が作用しない自然状態において平坦形状に形成すれば、一枚の平坦なシート部材のカッティングにより製作できるなど、実施の容易化及び低コスト化に寄与できる。また、形成素材としては、ゴム素材が望ましいが、同様のフレキシブル性を確保できる合成樹脂素材であってもよい。このように、フレキシブルリングシート１１を、ゴム素材又は合成樹脂素材を用いた軟質素材Ｒｇにより形成すれば、一般的な汎用素材を利用できるため、更なる実施の容易化及び低コスト化に寄与できる。
【００２７】
フレキシブルリングシート１１の厚さは、全体形状を考慮して良好なフレキシブル性を確保できる寸法を選定する。また、フレキシブルリングシート１１の全体形状は、プランジャ部７とプランジャガイド部８間における隙間Ｇを確実に閉塞可能となる形状を選定し、かつ当該隙間Ｇを閉塞可能な所定位置Ｘｓに固定できる外縁部１１ｏの径寸法を選定するとともに、自由端となる内縁部１１ｉの径寸法は、当該内縁部１１ｉが流入口部５内に位置する寸法を選定する。
【００２８】
一方、ガイド取付部２５には、磁性材により形成したプランジャガイド部８を取付ける。この場合、プランジャガイド部８は、一端に開口部を有し、かつ他端に閉塞部８ｕを有する筒状に形成する。プランジャガイド部８の内部には後述するプランジャ部７を装填することができる。したがって、プランジャ部７はプランジャガイド部８により軸方向Ｆｓへ変位自在にガイドされる。また、プランジャガイド部８の一端の開口部側には鍔状のフランジ部３１を一体形成する。これにより、このフランジ部３１をガイド取付部２５に当接させて組付けを行うことができる。
【００２９】
この場合、前述したフレキシブルリングシート１１は、図１に示すように、外縁部１１ｏ側を、フランジ部３１（プランジャガイド部８）とガイド取付部２５（基体部２）間に挟んで固定することができる。このように固定すれば、別途の固定具等の追加部品が不要になるため、組付けの容易化に寄与できるとともに、フレキシブルリングシート１１のフレキシブル性によるシーリング機能も利用可能となり、密閉性の向上或いは本来的に使用するシーリング部材の簡略化に寄与できる。
【００３０】
また、プランジャガイド部８を固定するに際しては、フランジ部３１に係止可能な取付リング３２を用意し、この取付リング３２と基体部２間にフランジ部３１を挟んで固定する。したがって、取付リング３２は、図示を省略した固定ネジ等を利用して基体部２に固定する。なお、符号３３は、ガイド取付部２５とフレキシブルリングシート１１間に配したＯリングを示す。
【００３１】
他方、プランジャガイド部８の外周面には、コイルユニット４１を装着する。コイルユニット４１は、コイルボビン４２及びこのコイルボビン４２に巻回したコイル４３により構成する。さらに、プランジャガイド部８にはプランジャ部７を装填する。このプランジャ部７は、磁性材を用いて円柱棒状に形成するとともに、先端面に収容凹部４５を形成し、この収容凹部４５にゴムブロックを用いた弁体部６を埋設する。これにより、この弁体部６の一端面は、プランジャ部７の前端面に露出して弁座部３に対向する。また、プランジャ部７の当該一端面に対して反対側に位置する他端面には、軸方向Ｆｓに沿ったスプリング収容凹部４６を形成し、このスプリング収容凹部４６に、圧縮したリターンスプリング１２を収容する。そして、プランジャ部７の他端面から突出したリターンスプリング１２は、プランジャガイド部８における閉塞部８ｕの内面に圧接させる。
【００３２】
このような構成により、プランジャ部７はリターンスプリング１２によりプランジャガイド部８から突出する方向に付勢されるため、コイルユニット４１に通電を行わないときは、リターンスプリング１２の付勢力により弁体部６が弁座部３に圧接する。この結果、流入口部５と流出口部４が遮断される止水モードＭｓとなる。一方、コイルユニット４１に通電を行えば、プランジャガイド部８とプランジャ部７間に磁極が発生し、プランジャ部７はプランジャガイド部８の内部に引込まれる方向に吸引される。この結果、流入口部５と流出口部４が開放される給水モードＭｏとなる。したがって、本実施形態の場合には、コイルユニット４１とリターンスプリング１２により電磁機能部９が構成される。このように、弁体部６を含むプランジャ部７を閉方向Ｆｃへ付勢するリターンスプリング１２を設ければ、簡易なＯＮ／ＯＦＦ制御により開閉機能を実現できるため、通電回路等を含む電磁機能部９全体の簡略化に寄与できる。
【００３３】
次に、本実施形態に係る給水用電磁弁１の動作及びフレキシブルリングシート１１の機能（作用）について、図４〜図７を参照して説明する。
【００３４】
図４は、止水モードＭｓ時の状態を示す。止水モードＭｓでは、コイルユニット４１に通電を行わないため、図示を省略した通電回路（制御回路）は、ＯＦＦ側に切換わっている。したがって、止水モードＭｓでは、リターンスプリング１２によりプランジャ部７が付勢され、弁体部６は弁座部３に圧接する。この結果、内部流入路２７と内部流出路２６間は遮断される。この遮断状態では、上流側の水道水は流通せず、停止した状態になるため、プランジャ部７とプランジャガイド部８間の隙間Ｇと内部流入路２７における水圧（上流側の水道水の水圧）は同圧になる。この結果、フレキシブルリングシート１１の前後間の差圧はゼロとなり、フレキシブルリングシート１１の自由端となる内縁部１１ｉ側には水圧が作用しない自由状態となる。
【００３５】
次に、止水モードＭｓから給水モードＭｏに切換える場合について説明する。この場合、通電回路（制御回路）をＯＮ側に切換えれば、コイルユニット４１（図１）に通電が行われる。これにより、コイルユニット４１が励磁され、プランジャガイド部８とプランジャ部７間に磁極が発生し、プランジャ部７はプランジャガイド部８の内部に引込まれる方向、即ち、図５中、矢印Ｆｒ方向に吸引される。この結果、プランジャ部７は、リターンスプリング１２の付勢力に抗して変位し、図５に示すように、プランジャ部７の後端面がプランジャガイド部８の閉塞部８ｕの内面に係止して停止する。
【００３６】
この際、弁体部６は弁座部３から離れるため、次の作用が同時に生じる。まず、プランジャ部７とプランジャガイド部８間における隙間Ｇに進入した微量の水道水は、弁座部３を通して内部流出路２６に押し出される。この状態を、図５中、矢印Ｆｗｓで示す。また、これに伴い、内部流入路２７の水道水は、弁座部３を通して内部流出路２６に流入するため、この水圧により、フレキシブルリングシート１１の内縁部１１ｉはプランジャ部７側へ変位する。図５は、この状態を示し、同図中、矢印Ｆｗは、内部流入路２７から内部流出路２６に流通する水道水を示す。
【００３７】
この後、プランジャ部７とプランジャガイド部８間における隙間Ｇ内の水道水が、内部流出路２６に全て押し出されれば、フレキシブルリングシート１１の内縁部１１ｉは、プランジャ部７の先端面に当接（圧接）し、当該隙間Ｇは、フレキシブルリングシート１１により閉塞される（図６参照）。これにより、内部流入路２７の水道水は、全開した弁座部３を通して内部流出路２６に供給される。即ち、給水モードＭｏに切換わる。この状態を図６に示す。この状態では、フレキシブルリングシート１１により隙間Ｇが完全に閉塞されるため、隙間Ｇへの異物進入は確実に阻止され、水道水中の異物は、全て内部流出路２６側に排出される。
【００３８】
次に、給水モードＭｏから止水モードＭｓに切換える場合について説明する。この場合、通電回路（制御回路）をＯＦＦ側に切換えれば、コイルユニット４１に対する通電が停止するため、コイルユニット４１の励磁が解除される。即ち、プランジャ部７に対する吸引が解除され、プランジャ部７は、リターンスプリング１２の付勢力によりプランジャガイド部８から突出する方向、即ち、矢印Ｆｍ方向に変位する。この状態を図７に示す。この際、プランジャ部７の変位により、プランジャ部７とプランジャガイド部８間における隙間Ｇには、負圧が発生するため、フレキシブルリングシート１１とプランジャ部７間の僅かな間隙を通して、内部流入路２７の水道水が当該隙間Ｇに流入するとともに、弁体部６は、弁座部３に近付くため、内部流入路２７から内部流出路２６に供給される水道水の流れは弱くなる。
【００３９】
そして、弁体部６が弁座部３に当接（圧接）した時点で内部流入路２７から内部流出路２６への水道水の供給が停止するとともに、プランジャ部７とプランジャガイド部８間における隙間Ｇの水圧は、内部流入路２７における水道水の水圧に対して同圧となる。この際、当該隙間Ｇに、内部流入路２７の水道水が進入するが、この隙間Ｇの水圧は、内部流入路２７における水道水の水圧に移行する過程の大きさとなるので、異物の進入は回避される。以上の作用を経ることにより図４に示す止水モードＭｓに切換えられる。
【００４０】
このように、本実施形態に係る給水用電磁弁１は、基本構成として、基体部２から筒状に突出し、かつ先端を弁座部３に形成した流出口部４と、この弁座部３の径方向Ｆｄ外側における基体部２に形成した流入口部５と、弁座部３に対向する端面に弁体部６を設けたプランジャ部７と、一端開口部を基体部２に固定し、プランジャ部７を軸方向Ｆｓへ変位自在にガイドする筒状のプランジャガイド部８と、プランジャ部７を軸方向Ｆｓへ進退変位させて給水モードＭｏと止水モードＭｓに切換える電磁機能部９とを具備してなる電磁弁に対して、所定のリング幅Ｌｒを有するフレキシブルリングシート１１を、プランジャ部７とプランジャガイド部８間の隙間Ｇを閉塞可能な所定位置Ｘｓに配するとともに、外縁部１１ｏを固定し、かつ自由端となる内縁部１１ｉを流入口部５内に位置させてなるため、流入口部５から水が進入すれば、この水圧によりフレキシブルリングシート１１が押圧され、プランジャ部７とプランジャガイド部８間における隙間Ｇは、このフレキシブルリングシート１１の変形により閉塞される。これにより、当該隙間Ｇへの異物の進入が阻止されるため、異物による給水用電磁弁１の動作不良を確実に回避することができる。また、パイロットキックタイプやフリッパータイプなどの電磁弁を採用することなく、一般的な電磁弁に対して、一枚のフレキシブルリングシート１１を追加するのみで有効な異物対策を実現できるため、電磁弁１全体の構造簡略化及び部品点数の削減を図ることができるとともに、電磁弁１の小型化及び低コスト化を実現することができる。
【００４１】
他方、図８には、本実施形態に係る給水用電磁弁１に備えるプランジャ部７の変更例を示す。この変更例は、図８の一部抽出拡大図に示すように、フレキシブルリングシート１１が当接するプランジャ部７の端面を、粗面７ｖに形成したものである。この場合、粗面７ｖは、この粗面７ｖにフレキシブルリングシート１１が当接した際に、この粗面７ｖとフレキシブルリングシート１１間を、水が通過し、異物の通過が阻止されるように、微小な凹凸により粗面形成するとともに、その凹凸度合を選定することが望ましい。
【００４２】
このように、フレキシブルリングシート１１が当接するプランジャ部７の端面を、粗面７ｖに形成すれば、プランジャ部７とフレキシブルリングシート１１の密着を回避できるため、プランジャ部７とプランジャガイド部８間における隙間Ｇへの水の流入が遅れるなどの不具合を防止し、閉弁が遅れる弊害を解消できるとともに、フレキシブルリングシート１１の本来の機能を確保できる。
【００４３】
即ち、比較的低水圧環境で使用する場合は特に問題を生じないが、使用水圧が高くなった場合、フレキシブルリングシート１１がプランジャ部７の端面に強く押付けられて密着し、隙間Ｇへの水の流入が妨げられることにより閉弁が遅れる傾向が生じる。しかし、プランジャ部７の端面を粗面７ｖに形成することにより、異物は遮断されるが、水の流通は許容されるため、閉弁の遅れは解消される。なお、フレキシブルリングシート１１は、給水用電磁弁１の開閉動作が行われる度に変形し、隙間Ｇの水が流出するため、フレキシブルリングシート１１により遮断された異物が蓄積する弊害は生じない。
【００４４】
以上、好適実施形態について詳細に説明したが、本発明は、このような実施形態に限定されるものではなく、細部の構成，形状，素材，数量等において、本発明の要旨を逸脱しない範囲で、任意に変更，追加，削除することができる。
【００４５】
例えば、流出口部４と流入口部５は、その形成部位を入れ替えた形態であってもよい。また、フレキシブルリングシート１１は、ゴム素材又は合成樹脂素材を用いた軟質素材Ｒｇにより形成することが望ましいが、他の素材の使用を排除するものではない。さらに、フレキシブルリングシート１１は、圧力が作用しない自然状態において平坦形状に形成することができるが、必要により平坦形状以外の形状に成形加工してもよいし、内縁部１１ｉ側の厚さを漸次薄くするなど、他の形態を選択してもよい。加えて、フレキシブルリングシート１１を組付けるに際し、外縁部１１ｏを、基体部２とプランジャガイド部８間に挟んで固定する場合を示したが、別途の固定具等を用いた他の固定手段により固定してもよい。また、電磁機能部９は、弁体部６を含むプランジャ部７を閉方向Ｆｃへ付勢するリターンスプリング１２を設けて構成した場合を示したが、このリターンスプリング１２を設けることなく、通電時の極性を反転制御するなどにより、閉方向Ｆｃへ変位させてもよい。なお、水として、水道水を例示したが、本発明における水とは、各種の水類を含むとともに、水以外の液体も含む概念である。
【産業上の利用可能性】
【００４６】
本発明は、水道管等の中途に接続して給水モード又は止水モードに切換える各種給水用電磁弁として利用できる。
【符号の説明】
【００４７】
１：給水用電磁弁，２：基体部，３：弁座部，４：流出口部，５：流入口部，６：弁体部，７：プランジャ部，８：プランジャガイド部，９：電磁機能部，１１：フレキシブルリングシート，１１ｏ：フレキシブルリングシートの外縁部，１１ｉ：フレキシブルリングシートの内縁部，１２：リターンスプリング，Ｆｄ：径方向，Ｆｓ：軸方向，Ｆｃ：閉方向，Ｍｏ：給水モード，Ｍｓ：止水モード，Ｌｒ：リング幅，Ｇ：プランジャ部とプランジャガイド部間の隙間，Ｘｓ：所定位置，Ｒｇ：軟質素材
【図１】
2019100355.tif 000003
【図２】
2019100355.tif 000004
【図３】
2019100355.tif 000005
【図４】
2019100355.tif 000006
【図５】
2019100355.tif 000007
【図６】
2019100355.tif 000008
【図７】
2019100355.tif 000009
【図８】
2019100355.tif 000010